(57)【要約】【課題】容易に保護キャップを外すことができる台座及び保護キャップ組立体を提供する。【解決手段】台座１４は、リング状に形成された把持部１６と、把持部１６の一端に設けられた支持板１８と、支持板１８から突出し、保護キャップ１２の内部に嵌装されて保護キャップ１２を保持する嵌合部２４とを備える。台座１４の嵌合部２４には、保護キャップ１２を回転させた際に、第１ねじ構造１２ｃが乗り上げて摺動することで保護キャップ１２を嵌合部２４から外れる方向に変位させる解除突起２６、２８が設けられている。【選択図】図５
2020146097.tif 000002
【特許請求の範囲】
【請求項１】
医療用チューブの途中を分離可能に接続するコネクタにねじ構造を介して装着される保護キャップの台座であって、
前記保護キャップの内部を閉塞可能な大きさに形成された支持板と、
前記支持板から突出し、前記保護キャップの内部に嵌装されて前記保護キャップを保持する嵌合部と、
前記嵌合部から突出して形成されるとともに、前記保護キャップの前記ねじ構造の近傍に配置される上端面を有し、前記保護キャップを回転させた際に、前記保護キャップの前記ねじ構造が前記上端面に乗り上げて摺動することで、前記保護キャップを前記嵌合部から外れる方向に変位させる解除突起と、を備えた、
台座。
【請求項２】
請求項１記載の台座であって、前記解除突起は前記嵌合部の周方向に離間して複数設けられている、台座。
【請求項３】
請求項２記載の台座であって、前記解除突起は前記保護キャップの前記ねじ構造のねじ山の条数に応じた数だけ設けられている、台座。
【請求項４】
請求項１〜３のいずれか１項に記載の台座であって、前記解除突起の前記上端面は前記ねじ構造のねじ山の下側面の傾斜に略平行な傾斜面で構成されている、台座。
【請求項５】
請求項１〜４のいずれか１項に記載の台座であって、前記解除突起の前記上端面は、前記保護キャップの前記ねじ構造の下端部よりも高い位置に形成されるとともに、前記解除突起の前記上端面の高さと前記ねじ構造の前記下端部の高さとの差分が前記嵌合部の高さの半分又はそれ以上である、台座。
【請求項６】
請求項１〜５のいずれか１項に記載の台座であって、さらに使用者の指に装着される把持部を有し、前記把持部に前記支持板が接合されている、台座。
【請求項７】
請求項６記載の台座であって、前記把持部はリング状に形成されている、台座。
【請求項８】
医療用チューブの途中を分離可能に接続するコネクタにねじ構造を介して装着される保護キャップと、
前記保護キャップの内部を閉塞可能な大きさに形成された支持板と、前記支持板から突出し、前記保護キャップの内部に嵌装されて前記保護キャップを保持する嵌合部と、前記嵌合部から突出して形成されるとともに、前記保護キャップの前記ねじ構造の近傍に配置される上端面を有し、前記保護キャップを回転させた際に、前記保護キャップの前記ねじ構造が前記上端面に乗り上げて摺動することで、前記保護キャップを前記嵌合部から外れる方向に変位させる解除突起と、を有する台座と、
を備え、前記台座の前記嵌合部に前記保護キャップが嵌装された、
保護キャップ組立体。
【発明の詳細な説明】
【技術分野】
【０００１】
本発明は、医療用チューブのコネクタに装着される保護キャップの台座及び保護キャップ組立体に関する。
【背景技術】
【０００２】
近年、腹膜透析は、患者の負担が少ないことから注目されている。腹膜透析法のなかでも、腹膜透析は、患者自身が自宅や職場で透析液のバッグの交換を行うことができるため、社会復帰がしやすいとされている。
【０００３】
腹膜透析では、患者側に接続されたチューブと、透析液のバッグに接続されたチューブとを、コネクタを介して接続する。透析液のバッグを接続しない間は、患者側に接続されたチューブのコネクタに一時的に保護キャップを装着する。細菌感染を防ぐために、保護キャップは１回のみ使用される使い捨てとなっている。
【０００４】
このような保護キャップは、台座に装着された状態で製品提供され、使用直前に台座から取り外してコネクタに装着して使用される。保護キャップ及びその台座に関し、特許文献１は、保護キャップに対する落下菌の付着を防止するとともに、患者が容易に台座から保護キャップを取り出せるように、筒状の嵌合部を保護キャップの凹部に嵌装してキャップを保持する台座を開示する。また、特許文献２は、使用前の保護キャップをリング状の持ち手のついた栓で封止する構造の台座を開示する。
【先行技術文献】
【特許文献】
【０００５】
【特許文献１】特開２０１７−１７６３５８号公報
【特許文献２】特開２０１３−４２９５２号公報
【発明の概要】
【発明が解決しようとする課題】
【０００６】
保護キャップをコネクタに接続するときには、片方の手にコネクタとそのチューブを把持し、もう片方の手で保護キャップを持って保護キャップを螺合する操作を行う。しかしながら、特許文献１及び特許文献２の台座では、手先が不自由な患者が使用した際に、保護キャップを台座から引っ張って外す際の勢いで手から保護キャップが外れてしまうことがある。
【０００７】
また、保護キャップと台座との接続は嵌合であるが、保護キャップとコネクタとの接続は螺合であるため、患者が保護キャップを台座から外す際に、コネクタから外すのと同様に回して外そうとしてしまい、保護キャップは嵌合部で空回りするだけで外れないこともある。
【０００８】
本発明は、容易に保護キャップを外すことができる台座及び保護キャップ組立体を提供することを目的とする。
【課題を解決するための手段】
【０００９】
本発明の一観点は、医療用チューブの途中を分離可能に接続するコネクタにねじ構造を介して装着される保護キャップの台座であって、前記保護キャップの内部を閉塞可能な大きさに形成された支持板と、前記支持板から突出し、前記保護キャップの内部に嵌装されて前記保護キャップを保持する嵌合部と、前記嵌合部から突出して形成されるとともに、前記保護キャップの前記ねじ構造の近傍に配置される上端面を有し、前記保護キャップを回転させた際に、前記保護キャップの前記ねじ構造が前記上端面に乗り上げて摺動することで、前記保護キャップを前記嵌合部から外れる方向に変位させる解除突起と、を備えた、台座にある。
【００１０】
本発明の別の一観点は、医療用チューブの途中を分離可能に接続するコネクタにねじ構造を介して装着される保護キャップと、前記保護キャップの内部を閉塞可能な大きさに形成された支持板と、前記支持板から突出し、前記保護キャップの内部に嵌装されて前記保護キャップを保持する嵌合部と、前記嵌合部から突出して形成されるとともに、前記保護キャップの前記ねじ構造の近傍に配置される上端面を有し、前記保護キャップを回転させた際に、前記保護キャップの前記ねじ構造が前記上端面に乗り上げて摺動することで、前記保護キャップを前記嵌合部から外れる方向に変位させる解除突起と、を有する台座と、を備え、前記台座の前記嵌合部に前記保護キャップが嵌装された、保護キャップ組立体にある。
【発明の効果】
【００１１】
上記観点の台座及び保護キャップ組立体によれば、台座から容易に保護キャップを外すことができる。
【図面の簡単な説明】
【００１２】
【図１】図１Ａは腹膜内に透析液を貯留している状態を示し、図１Ｂは腹膜内の透析液の排液の様子を示し、図１Ｃは腹膜内に透析液を注液している様子を示し、図１Ｄは新たな透析液の貯留中の状態を示す。
【図２】図２Ａは、透析液バッグ及び排液バッグを外した後のカテーテル及びコネクタの斜視図であり、図２Ｂは図２Ａのコネクタに保護キャップを装着する方法を示す説明図である。
【図３】図２Ａ及び図２Ｂの保護キャップ及びコネクタの構造を示す断面図である。
【図４】実施形態に係る保護キャップ組立体を示す斜視図である。
【図５】図４の台座を示す斜視図である。
【図６】図６Ａは、図５の台座の正面図であり、図６Ｂは図５の台座の側面図である。
【図７】図４の台座と保護キャップとの嵌合部分の拡大断面図である。
【図８】図４の保護キャップ組立体の第１の使用方法を示す説明図である。
【図９】図４の保護キャップ組立体の第２の使用方法を示す説明図である。
【発明を実施するための形態】
【００１３】
以下、本発明の好適な実施形態を挙げ、添付の図面を参照して詳細に説明する。
【００１４】
腹膜透析は、患者の腹膜内に透析液を注入して、所定時間ためておくと、老廃物や水分が腹膜を介して透析液側に移動する。透析液を体内に注入してから所定時間（例えば４〜８時間）は、図１Ａに示すように、患者は自由に行動することができる。患者には、腹膜内の挿入されたカテーテル８０が常時取り付けられており、このカテーテル８０を介して透析液の交換が実施される。
【００１５】
透析液の交換は、図１Ｂ及び図１Ｃに示すように行う。まず、患者の腹膜内に挿入されたカテーテル８０の先端のコネクタ８２に、排液バッグ９０及び透析液バッグ８４が接続された接続チューブ８５を接続する。接続チューブ８５は、途中で分岐して、一方のチューブ８６が透析液バッグ８４と接続され、他方のチューブ８８が排液バッグ９０に接続されている。
【００１６】
図１Ｂに示すように、患者はチューブ８６のクランプを閉じ、患者の腹膜内の老廃物を含んだ透析液を排液バッグ９０に排出する。次に、患者はチューブ８８を閉じるとともにチューブ８６を開き、図１Ｃに示すように、透析液バッグ８４の透析液を、チューブ８６及びカテーテル８０を介して腹膜内に注入する。
【００１７】
その後、図１Ｄに示すように、患者が接続チューブ８５をカテーテル８０から取り外して、透析液の交換が完了する。患者は、体にカテーテル８０が装着された状態で生活する。
【００１８】
図２Ａに示すように、カテーテル８０の先端のコネクタ８２は、筒状の接続部８２ｃの外周にねじ山が形成された雄コネクタである。コネクタ８２をそのまま露出させておくことは、細菌感染による合併症の原因となる。そこで、患者は、透析液の交換作業の完了後、図２Ｂに示すように、カテーテル８０の先端のコネクタ８２を片方の手で持ち、他方の手で保護キャップ１２を持って、コネクタ８２に保護キャップ１２を捻じ込んで装着してコネクタ８２を保護する。感染症を防ぐ観点から、保護キャップ１２は使い捨てで使用される。また、保護キャップ１２の装着作業は、落下菌の付着を防ぐために、保護キャップ１２の内側を上に向けないように行う。
【００１９】
図３に示すように、保護キャップ１２は、患者の指がカテーテル８０と連通する部分（内筒部１２ｂの内部）に触れないようにするために、二重構造となっている。すなわち、有底円筒状に形成された外筒部１２ａの内側に、短い内筒部１２ｂが形成された構造となっている。外筒部１２ａの内側部には第１ねじ構造１２ｃ（ねじ山）が形成されており、この第１ねじ構造１２ｃが、コネクタ８２の第２ねじ構造８２ｅと螺合する。内筒部１２ｂの奥側には、円形リング状のパッキン１２ｄが嵌装されている。外筒部１２ａと内筒部１２ｂとの間のリング状の溝１２ｅには、ポビドンヨード等の殺菌剤を含んだ多孔質部材が装着されていてもよい。
【００２０】
コネクタ８２は、カテーテル８０が接続されるカテーテル固定部８２ａと、カテーテル固定部８２ａの先端側に形成されたフランジ部８２ｂと、フランジ部８２ｂの先端側に形成された接続部８２ｃとを備える。フランジ部８２ｂは、カテーテル固定部８２ａ及び接続部８２ｃより拡径して形成されている。接続部８２ｃは、フランジ部８２ｂから先端側に向けて筒状に延び出ている。接続部８２ｃの外側部には第２ねじ構造８２ｅが形成されている。第２ねじ構造８２ｅは、外筒部１２ａの第１ねじ構造１２ｃと螺合可能に形成されている。接続部８２ｃの内側には、内筒部１２ｂの内部に挿入される内側接続部８２ｄが先端に向けて筒状に延びて形成されている。内側接続部８２ｄの内部には、カテーテル８０の内部に連通する連通孔８２ｆが形成されている。
【００２１】
保護キャップ１２は、外筒部１２ａが接続部８２ｃの外方を覆うようにして装着され、接続部８２ｃの基部に設けられたリング状のパッキン８３ａと外筒部１２ａが当接する。これにより、接続部８２ｃが保護キャップ１２の内側に気密に封止される。また、内筒部１２ｂのパッキン１２ｄに内側接続部８２ｄが密着することにより、連通孔８２ｆが気密に封止される。このようにして保護キャップ１２は、二重の封止構造により、コネクタ８２を保護する。
【００２２】
ところで、本実施形態において、保護キャップ１２は、図４に示す本実施形態に係る保護キャップ組立体１０として製品提供される。保護キャップ組立体１０は、保護キャップ１２と、保護キャップ１２の開口部を覆うように組付けられた台座１４とを備えている。台座１４は、使用直前まで、保護キャップ１２の内部を塞ぐことで、保護キャップ１２の内部を無菌状態に保つように構成されている。
【００２３】
図５に示すように、台座１４は、リング状に形成された把持部１６と、把持部１６の一端に形成された支持板１８と、把持部１６から外方に延び出た回転止め突起２０、２２とを備えている。図６Ａに示すように、把持部１６はＸ方向から正面視して円形リング状に形成されている。把持部１６は、患者の手の指に装着して使用できるように、その内径φ１（図６Ａ参照）が親指よりも若干大きな寸法に形成されている。把持部１６の内径φ１は、例えば、２０〜３０ｍｍ程度とすることができる。また、図６Ｂに示す把持部１６のＸ方向の幅Ｗは、例えば５ｍｍ程度とすることができる。
【００２４】
なお、把持部１６の形状は、患者の手の指に装着して使用できるものであればよく、「リング状」には、円環状に閉じた形状だけではなく、歪んだ楕円環状や、多角形環状や、一部に切れ目があるＣ字状等の形状も含まれるものとする。
【００２５】
図５に示すように、支持板１８は、Ｚ方向から平面視して円板状に形成されている。支持板１８と把持部１６とは、一体的に形成されている。支持板１８の外表面１８ａは、支持板１８と把持部１６との接線に平行な向きで形成されている。図６Ａに示す支持板１８の直径Ｄ２は、保護キャップ１２の開口部を封止するべく、保護キャップ１２の外筒部１２ａ（図４参照）の外径と同程度又はこれよりも大きな直径に形成されている。支持板１８の直径Ｄ２は、例えば２０〜２５ｍｍ程度とすることができる。
【００２６】
図５に示すように、支持板１８の外表面１８ａからは、環状の嵌合部２４が外表面１８ａに垂直なＺ方向に突出して形成されている。嵌合部２４は、平面視して多角形（例えば６角形状又は８角形状）に形成されている。嵌合部２４は、保護キャップ１２の外筒部１２ａの内径と略等しい外径寸法を備えており、外筒部１２ａの内部に嵌合されることで、保護キャップ１２を保持するように構成されている。図６Ｂに示す嵌合部２４の突出高さＨ１は、例えば２〜３ｍｍ程度とすることができる。
【００２７】
嵌合部２４の上端２４ａからは、解除突起２６、２８が外表面１８ａに垂直な方向（Ｚ方向）に突出して形成されている。図５及び図６Ａに示すように、解除突起２６、２８は、嵌合部２４の周方向に離間しており、嵌合部２４の中心軸Ｚを挟んで対向するように配置されている。ここでは、保護キャップ１２の第１ねじ構造１２ｃは２条ねじとして構成されており、解除突起２６、２８は、第１ねじ構造１２ｃの２つのねじ山に対応して設けられている。
【００２８】
解除突起２６、２８の上端面２６ａ、２８ａは、第１ねじ構造１２ｃに対応して、外表面１８ａに対して３０〜４０°傾斜した傾斜面で構成されている。また、図６Ｂに示す解除突起２６、２８の突出高さＨ２（外表面１８ａからの高さ）は、例えば４〜５ｍｍ程度とすることができる。
【００２９】
図７に示すように、台座１４に保護キャップ１２を組付けた保護キャップ組立体１０において、解除突起２６（２８）は、第１ねじ構造１２ｃの近傍に配置されている。解除突起２６、２８の上端面２６ａ、２８ａは、保護キャップ１２の第１ねじ構造１２ｃのねじ山の近傍にまで延びている。
【００３０】
この状態では、解除突起２６、２８は第１ねじ構造１２ｃと当接していないが、保護キャップ１２を緩める方向に例えば５〜１０°回転させると、解除突起２６、２８と第１ねじ構造１２ｃとが当接する。そして、第１ねじ構造１２ｃが解除突起２６、２８に乗り上げることで、保護キャップ１２が支持板１８から外れる方向に変位するように構成されている。
【００３１】
図６Ｂに示す解除突起２６、２８による保護キャップ１２の変位量Ｈ３は、解除突起２６、２８の突出高さＨ２（図６Ｂ参照）と、第１ねじ構造１２ｃの下端部の高さＨ４との差分に相当する。保護キャップ１２の変位量Ｈ３が嵌合部２４の突出高さＨ１の半分又はそれ以上となるように、解除突起２６、２８の位置及び高さを設定すると好適である。
【００３２】
図５に示すように、回転止め突起２０、２２は、把持部１６の外方に延び出て形成され、把持部１６を指にはめた際に、手の他の部位に当接することで、把持部１６の回転を規制するように構成されている。
【００３３】
図６Ａに示すように、回転止め突起２０、２２は、支持板１８に対して把持部１６の周方向に所定の間隔を開けて形成されている。この場合、リング状の把持部１６に指を挿入した際に、回転止め突起２０、２２が隣接する指と接触せずに安定して把持部１６を持てるようにするために、回転止め突起２０、２２は、支持板１８の中心部に対して把持部１６の周方向に９０°以上離れて設けられることが好ましい。また、把持部１６のいずれの方向から指を挿入した場合であっても、回転止め突起２０、２２が手の同じ位置に当接するように、回転止め突起２０、２２は、支持板１８の中心軸Ｚを中心にして左右対称の位置に形成されていることが好ましい。
【００３４】
回転止め突起２０、２２は、把持部１６の中心軸Ｘに対して平行な平面として形成されており、把持部１６から一体的に延び出た補強部３０、３２を介して把持部１６に接合されている。また、回転止め突起２０、２２は、使用者に不快感を与えないように、鋭利な突起がない形状とすることが好ましく、図示の例のように、角が面取りされた円板状に形成することができる。回転止め突起２０、２２の直径は、把持部１６を指にはめた際に、邪魔にならない範囲で適宜設定することができる。特に限定されるものではないが、回転止め突起２０、２２の直径Ｄ１（図６Ａ参照）は、例えば１０〜１５ｍｍ程度とすることができる。
【００３５】
回転止め突起２０の主面２０ａ及び回転止め突起２２の主面２２ａと支持板１８の中心軸Ｚとの為す角度は、例えば１０５°程度とすることができる。また、回転止め突起２０の主面２０ａと回転止め突起２２の主面２２ａとの為す角度は、例えば１５０°程度とすることができる。
【００３６】
なお、台座１４は２つの回転止め突起２０、２２を設けるものに限定されず、回転止め突起２０、２２のいずれか一方のみ又は３つ以上設けて構成されてもよい。
【００３７】
上記の台座１４は、特に限定されるものではないが、例えば、ポリプロピレン、ポリエチレン、ポリアセタール、ＡＢＳ、ＴＰＵ等の熱可塑性を有する合成樹脂を用いて、一体的に形成することができる。
【００３８】
保護キャップ組立体１０は、台座１４の支持板１８の嵌合部２４に保護キャップ１２の外筒部１２ａを押し込むことで組み上げられる。保護キャップ組立体１０では、嵌合部２４が外筒部１２ａの内部に嵌合しており、嵌合部２４と外筒部１２ａとの摩擦力によって、保護キャップ１２が台座１４に固定されている。台座１４の支持板１８は、保護キャップ１２の端部１２ｆと密着することで、保護キャップ１２の開口部を塞ぐ。
【００３９】
本実施形態の台座１４及び保護キャップ組立体１０は以上のように構成され、以下その作用について使用方法とともに説明する。
【００４０】
図８に示すように、第１の使用方法では、まず、患者は、保護キャップ組立体１０の把持部１６を片方の手の指に装着する。図示の例では、親指に保護キャップ組立体１０を装着しているが、親指以外の指に装着することもできる。
【００４１】
その後、患者は、保護キャップ１２の装着対象となるカテーテル８０及びコネクタ８２を、保護キャップ組立体１０を装着した方の手で持つ。その後、もう片方の手で保護キャップ組立体１０から保護キャップ１２を引き抜き、コネクタ８２に保護キャップ１２を螺合させることで、保護キャップ１２の装着を行うことができる。
【００４２】
本実施形態の保護キャップ組立体１０では、図示のように、回転止め突起２０が手の平に引っ掛かることで、保護キャップ組立体１０が回転を防ぐことができる。これにより、高齢者等の手の不自由な患者であっても、容易に保護キャップ１２を捉えることができる。
【００４３】
また、保護キャップ組立体１０は、回転止め突起２０、２２を備えているため、把持部１６のいずれの方向から指を挿入しても、手の平に引っ掛かる位置に回転止め突起２０又は回転止め突起２２が位置し、保護キャップ組立体１０の回転をより確実に防ぐことができる。
【００４４】
また、従来の台座では、保護キャップ１２の嵌合を外すためには保護キャップ１２を引き抜くしか方法がなく、保護キャップ１２が台座から外しにくいため、引っ張った勢いで、保護キャップ１２が手から離れて飛んでいってしまうことがあった。これに対し、本実施形態の台座１４は、解除突起２６、２８を備えている。
【００４５】
すなわち、図７に示すように、保護キャップ１２を回転させると、第１ねじ構造１２ｃのねじ山が解除突起２６、２８に乗り上げるようにして摺動することで、保護キャップ１２が嵌合部２４から外れる方向に変位する。そのため、保護キャップ１２の取り外しが、従来の引っ張り動作に加えて、ねじ回し動作でも行える。これにより、高齢者等の手の不自由な患者であっても、保護キャップ１２を落下させることなく取り外すことができる。
【００４６】
図９に示すように、第２の使用方法では、患者は、先にカテーテル８０及びコネクタ８２を片方の手で持つ。その後、患者は、保護キャップ組立体１０を持ち、中指と薬指の間等に保護キャップ組立体１０の把持部１６を挟むようにして保持する。この場合にも、回転止め突起２０、２２が手の平や指先に当たることで、台座１４を安定して保持することができる。
【００４７】
その後、もう片方の手で保護キャップ組立体１０の台座１４から保護キャップ１２を外して、その保護キャップ１２をコネクタ８２に螺合することで、保護キャップ１２の装着を行うことができる。このように、第２の使用方法では、カテーテル８０及びコネクタ８２を手に持った後に、リング状の把持部１６を指先に装着することを忘れていたことに気づいた場合であっても、保護キャップ１２の取り外しを容易に行うことができる。
【００４８】
本実施形態の台座１４及び保護キャップ組立体１０は、以下の効果を奏する。
【００４９】
本実施形態の台座１４は、医療用チューブの途中を分離可能に接続するコネクタ８２にねじ構造（第１ねじ構造１２ｃ及び第２ねじ構造８２ｅ）を介して装着される保護キャップ１２の台座１４であって、保護キャップ１２の内部を閉塞可能な大きさに形成された支持板１８と、支持板１８から突出し、保護キャップ１２の内部に嵌装されて保護キャップ１２を保持する嵌合部２４と、嵌合部２４から突出して形成されるとともに、保護キャップ１２の第１ねじ構造１２ｃの近傍に配置される上端面２６ａ、２８ａを有し、保護キャップ１２を回転させた際に、保護キャップ１２の第１ねじ構造１２ｃが上端面２６ａ、２８ａに乗り上げて摺動することで、保護キャップ１２を嵌合部２４から外れる方向に変位させる解除突起２６、２８と、を備える。
【００５０】
上記の台座１４によれば、保護キャップ１２の取り外しを、従来の引っ張り動作に加えて、ねじ回し動作でも行える。これにより、高齢者等の手の不自由な患者であっても、保護キャップ１２を落下させることなく取り外すことができる。
【００５１】
上記の台座１４において、解除突起２６、２８は嵌合部２４の周方向に離間して複数設けられていてもよい。これにより、解除突起２６、２８に保護キャップ１２が乗り上げて変位する際に、保護キャップ１２が傾くのを防ぐことができ、保護キャップ１２の姿勢を安定させることができる。
【００５２】
上記の台座１４において、解除突起２６、２８は保護キャップ１２の第１ねじ構造１２ｃのねじ山の条数に応じた数だけ設けられていてもよい。
【００５３】
上記の台座１４において、解除突起２６、２８の上端面２６ａ、２８ａは第１ねじ構造１２ｃのねじ山の下側面の傾斜に略平行な傾斜面で構成されてもよい。これにより、解除突起２６、２８に保護キャップ１２の第１ねじ構造１２ｃが引っ掛かることなくスムーズに摺動することができる。
【００５４】
上記の台座１４において、解除突起２６、２８の上端面２６ａ、２８ａは、保護キャップ１２の第１ねじ構造１２ｃの下端部よりも高い位置に形成されるとともに、解除突起２６、２８の上端面２６ａ、２８ａの突出高さＨ２と第１ねじ構造１２ｃの下端部の高さＨ４との差分が嵌合部２４の突出高さＨ１の半分又はそれ以上であってもよい。この差分は、解除突起２６、２８による保護キャップ１２の変位量Ｈ３に相当し、差分（変位量Ｈ３）を嵌合部２４の突出高さＨ１の半分又はそれ以上とすることにより、保護キャップ１２を容易に外すことができる。
【００５５】
上記の台座１４において、さらに使用者の指に装着される把持部１６を有し、把持部１６に支持板１８が接合されていてもよい。支持板１８を使用者の指に固定することができるので、支持板１８の設置位置に煩わされることなく、保護キャップ１２を取り外して使用することができる。
【００５６】
上記の台座１４において、把持部１６はリング状に形成されていてもよい。これにより、把持部１６に指を挿入して装着することができて好適である。
【００５７】
本実施形態の保護キャップ組立体１０は、医療用チューブの途中を分離可能に接続するコネクタ８２にねじ構造１２ｃ、８２ｅを介して装着される保護キャップ１２と、保護キャップ１２の内部を閉塞可能な大きさに形成された支持板１８と、支持板１８から突出し、保護キャップ１２の内部に嵌装されて保護キャップ１２を保持する嵌合部２４と、嵌合部２４から突出して形成されるとともに、保護キャップ１２の第１ねじ構造１２ｃの近傍に配置される上端面２６ａ、２８ａを有し、保護キャップ１２を回転させた際に、保護キャップ１２の第１ねじ構造１２ｃが上端面２６ａ、２８ａに乗り上げて摺動することで、保護キャップ１２を嵌合部２４から外れる方向に変位させる解除突起２６、２８と、を有する台座１４と、を備え、台座１４の嵌合部２４に保護キャップ１２が嵌装されている。
【００５８】
上記の保護キャップ組立体１０によれば、保護キャップ１２の取り外しを、従来の引っ張り動作に加えて、ねじ回し動作でも行える。これにより、高齢者等の手の不自由な患者であっても、保護キャップ１２を落下させることなく取り外すことができる。
【００５９】
上記において、本発明について好適な実施形態を挙げて説明したが、本発明は前記実施形態に限定されるものではなく、本発明の趣旨を逸脱しない範囲において、種々の改変が可能なことは言うまでもない。
【符号の説明】
【００６０】
１０…保護キャップ組立体          １２…保護キャップ
１４…台座                        １６…把持部
１８…支持板                      ２０、２２…回転止め突起
２４…嵌合部                      ２６、２８…解除突起
８０…カテーテル                  ８２…コネクタ
【図１】
2020146097.tif 000003
【図２】
2020146097.tif 000004
【図３】
2020146097.tif 000005
【図４】
2020146097.tif 000006
【図５】
2020146097.tif 000007
【図６】
2020146097.tif 000008
【図７】
2020146097.tif 000009
【図８】
2020146097.tif 000010
【図９】
2020146097.tif 000011